(57)【要約】【課題】複数の受信端末にコンテンツをマルチキャスト配信する場合に、各受信端末での再生開始のタイミングを同期したい。【解決手段】コンテンツ受信部２０６は、配信ステーション１０からのコンテンツデータを受信する。コンテンツデータ記憶部２０２は、受信したコンテンツデータを記憶する。識別子受信部２１２は、コンテンツデータを記憶した後、配信ステーション１０からのコンテンツデータの再生指示を受信する。再生処理部２０４は、受信した再生指示にしたがって、コンテンツデータ記憶部２０２において記憶したコンテンツデータを再生する。【選択図】図２
2009205396.tif 000002
【特許請求の範囲】
【請求項１】
複数の受信装置へコンテンツデータを配信する第１送信部と、
前記第１送信部からコンテンツデータを配信した後、当該コンテンツデータの再生指示を送信する第２送信部と、
を備えることを特徴とする配信装置。
【請求項２】
前記第１送信部におけるコンテンツデータの配信の完了タイミングを判定する判定部をさらに備え、
前記第２送信部は、前記判定部が完了タイミングを判定した場合に、再生指示を送信することを特徴とする請求項１に記載の配信装置。
【請求項３】
前記第１送信部において送信したコンテンツデータを受信した複数の受信装置はコンテンツデータを記憶しており、
前記判定部は、完了タイミングとして、前記複数の受信装置がコンテンツデータを再生可能状態であるかを判定することを特徴とする請求項２に記載の配信装置。
【請求項４】
前記判定部は、前記第１送信部からコンテンツデータを送信した後に、前記複数の受信装置によって接続が切断された場合に、前記複数の受信装置が当該コンテンツデータを再生可能状態であると判定することを特徴とする請求項３に記載の配信装置。
【請求項５】
請求項１からの４のいずれかに記載の配信装置からのコンテンツデータを受信する第１受信部と、
前記配信装置からのコンテンツデータの再生指示を受信する第２受信部と、
前記第２受信部において受信した再生指示にしたがって、前記第１受信部において受信したコンテンツデータを再生する再生部と、
を備えることを特徴とする受信装置。
【発明の詳細な説明】
【技術分野】
【０００１】
本発明は、配信技術および受信技術に関し、特に所定のコンテンツを再生する配信装置および受信装置に関する。
【背景技術】
【０００２】
複数の端末装置間で同一のコンテンツデータを再生させる場合、端末装置間において同じタイミングで再生を行う必要がある。再生の開始時刻をファイル内に付加し、そのタイミングで再生を開始する技術が検討されている（例えば、特許文献１参照）。
【特許文献１】特開２００６−１４８８４４号公報
【発明の開示】
【発明が解決しようとする課題】
【０００３】
しかしながら、ファイルを配信した時点では、再生開始のタイミングが不明な場合もある。例えば、配信ステーションから受信端末へマルチキャストを用いてコンテンツを配信する場合、一般的にパケットロスが発生する。特に、無線ＬＡＮ（Ｌｏｃａｌ  Ａｒｅａ  Ｎｅｔｗｏｒｋ）を介して配信を行う場合、電波状況によっては多くのパケットを損失する。そのような状況において、たとえ誤り訂正技術が使用されていても、十分視聴に耐えられる品質で動画コンテンツを再生できるとは限らない。そこで、広告のような比較的短いコンテンツを繰り返し配信している場合、受信端末は、コンテンツデータを記憶し、マルチキャストで受信したデータと、それまでに記憶したデータをマージできる。その結果、受信端末は、より精度の高いコンテンツデータを取得できる。つまり、マルチキャストによる配信を複数回受信することにより、コンテンツは、再生可能な状態となる。
【０００４】
一方、複数の受信端末が同じコンテンツを受信・再生している場合、各受信端末でのコンテンツの再生タイミングを合わせたい状況が存在する。例えば、ある程度限られた場所に複数の受信端末を設置し、それらから同一のコンテンツを再生することによって、そのコンテンツの存在をユーザに知らしめる場合である。しかしながら、上記のように、再生可能な状態となったタイミングで再生を開始すると、各受信端末の設置場所による電波状況の違い、受信端末の能力によって再生可能な状態となるタイミングに差が出てしまい、同一のコンテンツであっても、異なったタイミングで再生されてしまう。
【０００５】
本発明はこうした状況に鑑みてなされたものであり、その目的は、複数の受信端末にコンテンツをマルチキャスト配信する場合に、各受信端末での再生開始のタイミングを同期させる技術を提供することである。
【課題を解決するための手段】
【０００６】
上記課題を解決するために、本発明のある態様の配信装置は、複数の受信装置へコンテンツデータを配信する第１送信部と、第１送信部からコンテンツデータを配信した後、当該コンテンツデータの再生指示を送信する第２送信部と、を備える。
【０００７】
本発明の別の態様は、受信装置である。この装置は、配信装置からのコンテンツデータを受信する第１受信部と、配信装置からのコンテンツデータの再生指示を受信する第２受信部と、第２受信部において受信した再生指示にしたがって、第１受信部において受信したコンテンツデータを再生する再生部と、を備える。
【０００８】
なお、以上の構成要素の任意の組合せ、本発明の表現を方法、装置、システム、記録媒体、コンピュータプログラムなどの間で変換したものもまた、本発明の態様として有効である。
【発明の効果】
【０００９】
本発明によれば、複数の受信端末にコンテンツをマルチキャスト配信する場合に、各受信端末での再生開始のタイミングを同期できる。
【発明を実施するための最良の形態】
【００１０】
本発明を具体的に説明する前に、概要を述べる。本発明の実施例は、配信ステーションと、複数の受信端末によって構成される通信システムに関する。ここで、配信ステーションと複数の受信端末とは、例えば、無線ＬＡＮによって接続されている。また、配信ステーションは、コンテンツデータを予め記憶しており、マルチキャスト配信によって複数の受信端末へコンテンツデータを繰り返し配信する。各受信端末は、受信したコンテンツを記憶し、その後、記憶したコンテンツを再生する。ここで、複数の受信端末における再生タイミングを合わせるために、本実施例に係る通信システムは、次の処理を実行する。
【００１１】
配信ステーションは、マルチキャスト配信の対象となるすべての受信端末が再生可能になったかを判断し、再生可能な状態であると判断した場合にすべての受信端末に対して再生を指示する。また、配信ステーションが、受信端末が再生可能な状態になったことを把握するために、受信端末は、再生可能になったときに配信ステーションとの接続を切断する。ここで、受信端末は、再生可能な状態になればそれ以上コンテンツデータを受信する必要がなくなるので、配信ステーションとの接続を切断できる。配信ステーションでは、対象となるすべての受信端末が接続を切断すると、それらに対して再生開始を指示する。その際、配信ステーションは、配信ステーションとの接続を確立していない受信端末でも受信することが可能なビーコン（ＳＳＩＤ）を用いて、指示内容を通知する。このビーコンは、一時的に送信されるものであり、受信装置が、当該ビーコンを受信した後に接続を実行すると、すぐに切断されてしまう。そこで、このビーコンには、接続拒否の設定がなされる。
【００１２】
図１は、本発明の実施例に係る通信システム３０の概要を示す。通信システム３０は、配信ステーション１０、受信端末２０と総称される第１受信端末２０ａ、第２受信端末２０ｂ、第Ｎ受信端末２０ｎを含む。
【００１３】
配信ステーション１０は、無線ＬＡＮの基地局装置の機能を有するとともに、コンテンツデータを記憶するための記憶部も有する。このような構成によって、配信ステーション１０は、コンテンツデータをマルチキャストで繰り返し配信する。そのため、コンテンツデータの長さは、比較的短いものとする。また、コンテンツデータに対してなされている符号化、マルチキャストについては公知の技術が使用されればよいので、ここでは説明を省略する。配信ステーション１０は、コンテンツデータをマルチキャストで配信するとともに、通常の無線ＬＡＮの基地局装置と同様に、定期的にビーコンを配信する。また、配信ステーション１０は、所定のタイミングにおいて、配信したコンテンツデータの再生開始を指示するための情報（以下、「再生指示情報」という）を含むＳＳＩＤをビーコンに含める。
【００１４】
受信端末２０は、配信ステーション１０がマルチキャストにて配信したコンテンツデータを受信し、受信したコンテンツデータ再生する。コンテンツデータはマルチキャストにて配信されているので、一般的に再送制御がなされていない。そのため、受信端末２０は、コンテンツデータを１回受信したときに、必ずしもすべてを正確に受信できているとは限らない。特に、コンテンツデータが無線ＬＡＮを介して配信されている場合には、パケットロスが発生するので、受信端末においてコンテンツデータが十分な品質で再生されないこともある。そこで、受信端末２０は、配信ステーション１０から繰り返し配信されるコンテンツデータを記憶し、コンテンツデータをすり合わせる。この段階において、受信端末２０は、コンテンツデータを再生しない。
【００１５】
これによって、受信端末２０にて保持されたコンテンツデータの精度が向上し、十分な品質での再生が可能となる。受信端末２０においてコンテンツデータの精度が再生可能なレベルに達すると、受信端末２０は、配信ステーション１０から配信されるコンテンツを受信する必要がなくなる。そこで、受信端末２０は、配信ステーション１０との接続を切断する。つまり、マルチキャスト配信に参加していた受信端末２０が配信ステーション１０との接続を切断する動作は、配信ステーション１０に対してコンテンツデータの記憶が終了したことを通知することに相当する。なお、接続を切断する際、受信端末２０は、配信ステーション１０へ切断要求を送信するものとする。
【００１６】
配信ステーション１０は、マルチキャスト配信の対象となるすべての受信端末２０との接続切断を検知すると、前述のごとく、ビーコンに再生指示情報を含ませる。また、配信ステーション１０は、ビーコンを配信する。これは、コンテンツ再生開始の指示を通知することに相当する。受信端末２０は、ビーコンを受信することによって再生指示情報を取得すると、記憶したコンテンツデータの再生を開始する。
【００１７】
図２は、通信システム３０の構成を示す。配信ステーション１０は、コンテンツデータ記憶部１００、通信部１０２を含む。また、通信部１０２は、コンテンツ配信部１０４、識別子生成部１０８、識別子送信部１１０、接続管理部１０６を含む。受信端末２０は、通信部２００、コンテンツデータ記憶部２０２、再生処理部２０４、ＩＦ部２１４を含む。また、通信部２００は、コンテンツ受信部２０６、データ処理部２０８、識別子受信部２１２、接続処理部２１０を含む。
【００１８】
コンテンツデータ記憶部１００は、配信ステーション１０から配信すべきコンテンツデータを記憶する。なお、コンテンツデータには、コンテンツデータを識別するためのコンテンツＩＤおよびコンテンツデータのパケットごとに割り振られたパケット番号が含まれている。コンテンツ配信部１０４は、コンテンツデータ記憶部１００に記憶したコンテンツデータを読み出す。コンテンツ配信部１０４は、読み出したコンテンツデータをマルチキャストにて配信する。なお、配信ステーション１０と受信端末２０との接続は既に確立されており、マルチキャスト配信の設定は既になされているものとする。
【００１９】
接続管理部１０６は、受信端末２０との接続の確立および切断に関する処理を行う。接続管理部１０６は、コンテンツ配信部１０４からコンテンツデータを配信しているすべての受信端末２０との接続の切断を検知すると、識別子生成部１０８に対し、当該コンテンツデータの再生開始を指示するための再生指示情報の生成を依頼する。ここで、前述のごとく、受信端末２０は、コンテンツデータを記憶した後にコンテンツデータを再生するように規定されており、コンテンツデータの再生が可能になった状態、つまりコンテンツデータの記憶が完了した状態になると、受信端末２０は、接続を切断する。接続管理部１０６は、コンテンツデータを送信した後に、受信端末２０との接続の切断を検知することによって、当該受信端末２０がコンテンツデータを再生可能であると判定する。複数の受信端末２０においてコンテンツデータの記憶が完了したタイミングは、コンテンツデータの配信の完了タイミングといえる。
【００２０】
識別子生成部１０８は、接続管理部１０６からの依頼をもとに、再生開始指示を含む再生指示情報を生成する。再生指示情報とは、受信端末２０に対してコンテンツの再生開始を指示するために通知する識別子であり、配信ステーション１０との接続を確立する際に用いる識別子(以下、「接続用識別子」という)とは別に設定されている。再生指示情報には、コンテンツＩＤと、その再生を開始すべき再生開始時間とが含まれる。なお、通信システム３０では、時間を合わせるためのプロトコルとしてＮＴＰ（Ｎｅｔｗｏｒｋ  Ｔｉｍｅ  Ｐｒｏｔｏｃｏｌ）が使用されており、複数の受信端末２０間で再生開始時間が共通の時刻として設定される。なお、配信ステーション１０が複数のマルチキャスト配信を行っている場合には、識別子生成部１０８は、ストリームを特定するためのストリームＩＤと、各ストリームに関する再生開始指示を接続用識別子に含んでもよい。識別子生成部１０８は、生成した再生指示情報を識別子送信部１１０へ出力する。
【００２１】
識別子送信部１１０は、識別子生成部１０８において生成した再生指示情報をビーコンとして送信する。なお、識別子送信部１１０は、再生指示情報とは別に設定された接続用識別子も送信してもよい。つまり、識別子送信部１１０は、受信端末２０がコンテンツデータを再生可能状態であると判定した場合に、当該コンテンツデータの再生指示を送信する。
【００２２】
コンテンツ受信部２０６は、配信ステーション１０からマルチキャストにて配信されるコンテンツデータを受信する。コンテンツ受信部２０６は、受信したコンテンツデータをデータ処理部２０８へ出力する。データ処理部２０８は、コンテンツ受信部２０６が受信したコンテンツデータを処理する。具体的には、受信したコンテンツデータと同じコンテンツＩＤおよびパケット番号のコンテンツデータがコンテンツデータ記憶部２０２に記憶されていなければ、データ処理部２０８は、受信したコンテンツデータをコンテンツデータ記憶部２０２に格納させる。また、データ処理部２０８は、当該コンテンツデータに関わるデータのうち、設定された割合以上のコンテンツデータをコンテンツデータ記憶部２０２が保持していると判断すると、接続処理部２１０に対して、配信ステーション１０との接続の切断を依頼する。つまり、データ処理部２０８は、コンテンツデータ記憶部２０２において記憶したコンテンツデータの量が、再生可能な量として規定した設定レベル以上であるかを判定する。
【００２３】
コンテンツデータ記憶部２０２は、コンテンツ受信部２０６において受信したコンテンツデータを記憶する。保持しているコンテンツデータは、後述の再生処理部２０４により参照される。接続処理部２１０は、データ処理部２０８が、コンテンツデータ記憶部２０２において記憶したコンテンツデータの量が設定レベル以上であると判定した場合に、配信ステーション１０との接続を切断する。ここで、接続処理部２１０は、配信ステーション１０に対して、切断要求を送信する。
【００２４】
識別子受信部２１２は、配信ステーション１０からの配信される再生指示情報を受信し、そこに含まれる再生開始指示を抽出する。また、識別子受信部２１２は、抽出した再生開始指示にしたがった再生開始を再生処理部２０４に依頼する。つまり、識別子受信部２１２は、コンテンツデータ記憶部２０２においてコンテンツデータを記憶した後、つまり接続処理部２１０において接続を切断した後に、配信ステーション１０からのコンテンツデータの再生指示を受信する。再生処理部２０４は、識別子受信部２１２からの再生開始の指示にしたがって、コンテンツデータ記憶部２０２から取得したコンテンツデータを再生する。ＩＦ部２１４は、ユーザとのインターフェイスであり、ボタン、ディスプレイ、スピーカ等によって構成される。ディスプレイは、再生処理部２０４によって再生されたコンテンツデータのうち、画像を表示する。また、スピーカは、再生処理部２０４によって再生されたコンテンツデータのうち、音声を出力する。また、ボタンは、ユーザからの指示を受けつける。
【００２５】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２６】
以上の構成による通信システム３０の動作概要を説明する。図３は、通信システム３０による配信手順を示すシーケンス図である。配信ステーション１０は、コンテンツデータを繰り返し配信する（Ｓ１０、Ｓ１２）。第１受信端末２０ａは、コンテンツデータを記憶し（Ｓ１４）、記憶したコンテンツデータが設定レベルに達したと判定すると（Ｓ１８）、配信ステーション１０との接続を切断する（Ｓ２２）。同様に、第２受信端末２０ｂにおいても、コンテンツデータを記憶し（Ｓ１６）、記憶したコンテンツデータが設定レベルに達したと判定すると（Ｓ２０）、配信ステーション１０との接続を切断する（Ｓ２４）。配信ステーション１０は、切断を検知する（Ｓ２６）と、再生指示情報を生成する（Ｓ２８）。配信ステーション１０は、再生指示情報を報知する（Ｓ３０、Ｓ３２）。第１受信端末２０ａは、コンテンツデータを再生し（Ｓ３４）、第１受信端末２０ａも、コンテンツデータを再生する（Ｓ３６）。
【００２７】
図４は、配信ステーション１０による配信手順を示すフローチャートである。コンテンツ配信部１０４は、コンテンツデータを配信する（Ｓ５０）。接続管理部１０６は、当該コンテンツデータを受信したすべての受信端末２０が接続を切断したかを判定する（Ｓ５２）。切断されていなければ（Ｓ５２のＮ）、コンテンツ配信部１０４は、ステップ５０に戻ることによって、すべての受信端末２０が接続を切断するまでコンテンツの配信を続ける。全受信端末２０が接続を切断したと判定した場合（Ｓ５２のＹ）、識別子生成部１０８は、コンテンツ再生開始指示を含む再生指示情報を生成し（Ｓ５４）、識別子送信部１１０は、生成した再生指示情報をビーコンとして送信する（Ｓ５６）。
【００２８】
図５は、受信端末２０による再生手順を示すフローチャートである。受信端末２０は、配信ステーションとの接続を確立する（Ｓ１００）。コンテンツ受信部２０６は、配信ステーション１０からのコンテンツデータを受信する（Ｓ１０２）。データ処理部２０８は、受信したコンテンツデータと同じコンテンツＩＤ、パケット番号のコンテンツデータがコンテンツデータ記憶部２０２に記憶されているかを確認する（Ｓ１０４）。記憶されていない場合は（Ｓ１０４のＮ）、データ処理部２０８は、受信したコンテンツデータをコンテンツデータ記憶部２０２に格納させる（Ｓ１０６）。一方、同じコンテンツデータをコンテンツデータ記憶部２０２が保持している場合は（Ｓ１０４のＹ）、ステップ１０６はスキップされる。
【００２９】
データ処理部２０８は、コンテンツデータ記憶部２０２が保持しているコンテンツデータの量が一定レベル以上になったかを判定する（Ｓ１０８）。一定レベル以上のコンテンツデータが保持されていなければ（Ｓ１０８のＮ）、ステップ１０２に戻る。一方、一定レベル以上のコンテンツデータが保持されていれば（Ｓ１０８のＹ）、接続処理部２１０は、配信ステーション１０との接続を切断する（Ｓ１１０）。ビーコンとして送信される再生指示情報を受信しなければ（Ｓ１１２のＮ）、受信するまで待機する。再生指示情報を受信すると（Ｓ１１２のＹ）、再生処理部２０４は、受信した再生指示情報に含まれる再生開始指示にしたがって、コンテンツデータを再生する（Ｓ１１４）。終了しない場合（Ｓ１１６のＮ）、ステップ１００に戻る。終了する場合（Ｓ１１６のＹ）、処理は終了される。
【００３０】
本発明の実施例によれば、コンテンツデータを受信した後に、再生開始の指示を受けつけてから再生を開始するので、複数の受信端末にコンテンツをマルチキャスト配信する場合でも、各受信端末での再生開始のタイミングを同期できる。再生が可能なレベルまでコンテンツデータを記憶したときに、接続を切断するので、コンテンツデータの記憶終了を確実に通知できる。また、繰り返し配信されたコンテンツデータを記憶するので、コンテンツデータの品質を向上できる。また、繰り返しコンテンツデータを配信した後に、すべての受信端末が再生可能であることを検知した場合に、再生開始の指示を送信するので、複数の受信端末にコンテンツをマルチキャスト配信する場合でも、各受信端末での再生開始のタイミングを同期できる。
【００３１】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００３２】
本発明の実施例において、受信端末２０は、接続切断によって再生が可能になったことを配信ステーション１０に通知してる。しかしながらこれに限らず例えば、これ以外の方法によって、受信端末２０は配信ステーション１０へその旨を通知してもよい。データ処理部２０８は、コンテンツデータ記憶部２０２において記憶されたコンテンツデータの量が、再生処理部２０４が再生可能な量として規定された設定レベル以上であるかを判定する。接続処理部２１０は、データ処理部２０８が、コンテンツデータ記憶部２０２において記憶されたコンテンツデータの量が設定レベル以上であると判定した場合に、その旨を配信ステーション１０へ通知する。識別子受信部２１２は、接続処理部２１０において通知を行った後に、再生指示情報を受信する。本変形例によれば、記憶されたコンテンツデータの量が設定レベル以上である旨を通知するので、再生開始のタイミングを決定させることができる。
【００３３】
本発明の実施例において、配信ステーション１０は、マルチキャストを用いてコンテンツデータを配信している。しかしながらこれに限らず例えば、配信ステーション１０は、各受信端末２０に対して、コンテンツデータをダウンロードさせ、すべての受信端末２０がダウンロードを終了したときに、配信ステーション１０は、再生指示情報を用いて再生開始の指示を通知してもよい。なお、ダウンロードの終了は、実施例での記憶の終了と同様に通知される。本変形例によれば、コンテンツデータを確実に受信端末２０へ伝送できる。
【００３４】
実施例に記載された発明の特徴は、次の項目によって規定されてもよい。
（項目１）
配信装置からのコンテンツデータを受信する第１受信部と、
前記第１受信部において受信したコンテンツデータを記憶する記憶部と、
前記記憶部においてコンテンツデータを記憶した後、前記配信装置からのコンテンツデータの再生指示を受信する第２受信部と、
前記第２受信部において受信した再生指示にしたがって、前記記憶部において記憶したコンテンツデータを再生する再生部と、
を備えることを特徴とする受信装置。
【００３５】
（項目２）
前記記憶部において記憶したコンテンツデータの量が、前記再生部が再生可能な量として規定した設定レベル以上であるかを判定する判定部と、
前記判定部が、前記記憶部において記憶したコンテンツデータの量が設定レベル以上であると判定した場合に、前記配信装置との接続を切断する接続処理部とをさらに備え、
前記第２受信部は、前記接続処理部において接続を切断した後に、再生指示を受信することを特徴とする項目１に記載の受信装置。
【００３６】
（項目３）
前記記憶部において記憶されたコンテンツデータの量が、前記再生部が再生可能な量として規定された設定レベル以上であるかを判定する判定部と、
前記判定部が、前記記憶部において記憶されたコンテンツデータの量が設定レベル以上であると判定した場合に、その旨を前記配信装置へ通知する通知部とをさらに備え、
前記第２受信部は、前記通知部において通知を行った後に、再生指示を受信することを特徴とする項目１に記載の受信装置。
【００３７】
（項目４）
受信装置へコンテンツデータを送信する第１送信部と、
前記第１送信部において送信したコンテンツデータを受信した受信装置は当該コンテンツデータを記憶しており、前記受信装置が当該コンテンツデータを再生可能状態であるかを判定する判定部と、
前記判定部が、前記受信装置が当該コンテンツデータを再生可能状態であると判定した場合に、当該コンテンツデータの再生指示を送信する第２送信部と、
を備えることを特徴とする配信装置。
【００３８】
（項目５）
前記判定部は、前記第１送信部からコンテンツデータを送信した後に、前記受信装置によって接続が切断された場合に、前記受信装置が当該コンテンツデータを再生可能状態であると判定することを特徴とする項目４に記載の配信装置。
（項目６）
配信装置からのコンテンツデータを受信するステップと、
受信したコンテンツデータをメモリに記憶するステップと、
コンテンツデータをメモリに記憶した後、前記配信装置からのコンテンツデータの再生指示を受信するステップと、
受信した再生指示にしたがって、メモリに記憶したコンテンツデータを再生するステップと、
を備えることを特徴とする受信方法。
【００３９】
（項目７）
受信装置へコンテンツデータを送信するステップと、
コンテンツデータを送信した受信装置は当該コンテンツデータを記憶しており、前記受信装置が当該コンテンツデータを再生可能状態であるかを判定するステップと、
前記受信装置が当該コンテンツデータを再生可能状態であると判定した場合に、当該コンテンツデータの再生指示を送信するステップと、
を備えることを特徴とする配信方法。
【図面の簡単な説明】
【００４０】
【図１】本発明の実施例に係る通信システムの概要を示す図である。
【図２】図１の通信システムの構成を示す図である。
【図３】図２の通信システムによる配信手順を示すシーケンス図である。
【図４】図２の配信ステーションによる配信手順を示すフローチャートである。
【図５】図２の受信端末による再生手順を示すフローチャートである。
【符号の説明】
【００４１】
１０  配信ステーション、  ２０  受信端末、  ３０  通信システム、  １００  コンテンツデータ記憶部、  １０２  通信部、  １０４  コンテンツ配信部、  １０６  接続管理部、  １０８  識別子生成部、  １１０  識別子送信部、  ２００  通信部、  ２０２  コンテンツデータ記憶部、  ２０４  再生処理部、  ２０６  コンテンツ受信部、  ２０８  データ処理部、  ２１０  接続処理部、  ２１２  識別子受信部、  ２１４  ＩＦ部。
【図１】
2009205396.tif 000003
【図２】
2009205396.tif 000004
【図３】
2009205396.tif 000005
【図４】
2009205396.tif 000006
【図５】
2009205396.tif 000007